(57)【要約】【課題】上下に複数段積み重ねられるとともに、フォーク先端の上蓋への突き当てに対する高い補強効果を発揮することができるパレットボックスを提供する。【解決手段】パレットボックス１１は、フォーク挿入孔２４を備えた略四角板状のパレット１２と、そのパレット１２の周縁に沿って立設された各一対の側壁３１と、それら側壁３１の上端部を閉鎖する有蓋四角筒状の上蓋１５とからなる四角箱状に形成されている。上蓋１５の上面には、パレット１２の桁２２，２３を載置するための桁載置部５６が設けられている。フォーク挿入孔２４の真上に位置する上蓋１５の上面周縁部には、周縁凹部５２が凹設されているうえ、その周縁凹部５２の上面にはフォーク挿入孔２４のフォーク挿入方向に沿って延びる複数のガイドリブ５３が立設されている。各ガイドリブ５３の外端縁は、上方ほど上蓋１５の内方側へと傾斜するテーパ形状に形成されている。【選択図】　　　図１
2004010129.tif 000002
【特許請求の範囲】
【請求項１】
フォーク挿入孔を備えたパレットと、そのパレットの載置部周縁に立設された側壁と、その側壁の上端部を閉鎖する有蓋四角筒状の上蓋とから四角箱状に形成されるとともに、前記上蓋の上面にパレットを載置することができるように構成したパレットボックスであって、
前記フォーク挿入孔の上方に位置する上蓋の上面周縁部に周縁凹部を設け、その周縁凹部の上面に前記フォーク挿入孔のフォーク挿入方向に沿って延びる周縁リブを突設するとともに、
前記周縁リブの外端縁を上方ほど上蓋の内方側へと傾斜するように形成したことを特徴とするパレットボックス。
【請求項２】
前記周縁凹部の下面を平坦面により構成するとともに、その平坦面に側壁の上端縁が当接されるように構成したことを特徴とする請求項１に記載のパレットボックス。
【請求項３】
前記上蓋の上面周縁部に係止突部を設け、上蓋の上面に載置されたパレットの下端部を係止するように構成したことを特徴とする請求項１又は請求項２に記載のパレットボックス。
【発明の詳細な説明】
【０００１】
【発明の属する技術分野】
この発明は、側面及び底面にフォーク挿入孔が開口されたパレットと、そのパレットの周縁に沿って立設される各一対の側壁と、それら側壁の上部開口部を着脱可能に閉鎖する上蓋とから四角箱状に形成されたパレットボックスに関するものである。より詳しくは、上蓋の上面にパレットの桁を載置するための桁載置部を設けることにより、上下に複数段積み重ねることができるように構成されたパレットボックスに関するものである。さらに詳しくは、上下に複数段積み重ねられたパレットボックスにおいて、上方に位置するパレットのフォーク挿入孔内にフォークリフトのフォークを挿入する際に、下方に位置する上蓋へのフォーク先端の突き当てに対する補強効果を発揮させるように構成されたパレットボックスに関するものである。
【０００２】
【従来の技術】
従来より、この種のパレットボックスとしては、例えば特開平１０−７１４４号公報に開示されているコンテナが知られている。このコンテナは、比較的小型の箱状をなし、内部に小物荷物をまとめて収納して輸送するためのものであり、紙製のハニカムコアを芯材としたパレットと、段ボール構造の胴板と、蓋体とを備えてなるものである。前記蓋体は有蓋四角筒状に形成されている。そして、このコンテナは、重ね積みが可能であることから積み荷効率が向上するとともに、輸送中の荷崩れを容易に防止することができる。
【０００３】
【発明が解決しようとする課題】
ところが、前記従来のコンテナを重ね積みしたとき、フォークリフトを用いて上方に位置するコンテナを床面上に降ろす際には、フォークリフトのフォークの先端が下方に位置するコンテナの蓋体の端部に誤って突き当てられるおそれがあった。そして、このコンテナの蓋体には、フォーク先端の突き当てに対する特別な対策が何ら施されていなかったことから、蓋体の変形や破損が引き起こされるおそれが高く、ひどい場合には重ね積みを行うことができなくなるおそれもあった。
【０００４】
この発明は、上記のような従来技術に存在する問題点に着目してなされたものである。その目的とするところは、上下に複数段積み重ねることができるとともに、フォーク先端の上蓋への突き当てに対する高い補強効果を発揮することができるように構成されたパレットボックスを提供することにある。
【０００５】
【課題を解決するための手段】
上記の目的を達成するために、請求項１に記載の発明のパレットボックスは、フォーク挿入孔を備えたパレットと、そのパレットの載置部周縁に立設された側壁と、その側壁の上端部を閉鎖する有蓋四角筒状の上蓋とから四角箱状に形成されるとともに、前記上蓋の上面にパレットを載置することができるように構成したパレットボックスであって、前記フォーク挿入孔の上方に位置する上蓋の上面周縁部に周縁凹部を設け、その周縁凹部の上面に前記フォーク挿入孔のフォーク挿入方向に沿って延びる周縁リブを突設するとともに、前記周縁リブの外端縁を上方ほど上蓋の内方側へと傾斜するように形成したことを特徴とするものである。
【０００６】
請求項２に記載の発明のパレットボックスは、請求項１に記載の発明において、前記周縁凹部の下面を平坦面により構成するとともに、その平坦面に側壁の上端縁が当接されるように構成したことを特徴とするものである。
【０００７】
請求項３に記載の発明のパレットボックスは、請求項１又は請求項２に記載の発明において、前記上蓋の上面周縁部に係止突部を設け、上蓋の上面に載置されたパレットの下端部を係止するように構成したことを特徴とするものである。
【０００８】
【発明の実施の形態】
以下、この発明を具体化した実施形態を図面に基づいて詳細に説明する。
図１に示すように、実施形態のパレットボックス１１は、パレット１２と、そのパレット１２の載置部１３周縁に着脱可能に立設される四角筒状のスリーブ１４と、そのスリーブ１４の上部開口部を着脱可能に閉鎖する合成樹脂製の上蓋１５とから構成されている。このパレットボックス１１は、スリーブ１４及び上蓋１５により、パレット１２の載置部１３上に載置される載置物の周囲を被覆して、運搬途中で載置物が荷崩れしたりするのを防止するために用いられる。また、図４に示すように、複数のパレットボックス１１を上下に積み重ねることもできるように構成されている。
【０００９】
図１、図４及び図５に示すように、パレット１２は、合成樹脂により略四角板状に一体成形されている。このパレット１２は、四角板状に形成された上面デッキ２１と、その上面デッキ２１の下面から垂下された桁としての長四角柱状の隅部桁２２及び中央桁２３とを備え、片面使用２方差しのスキッドタイプ（単面型）の構成を有している。
【００１０】
上面デッキ２１の上面には、パレット１２上に載置物を載置するための載置部１３が設けられている。隅部桁２２は上面デッキ２１の対向する一対の側縁に沿って設けられ、中央桁２３は上面デッキ２１の中央部下面、即ち前記一対の隅部桁２２間の中央位置に設けられている。そして、これら隣接する隅部桁２２と中央桁２３との間には、フォークリフト又はハンドリフトのフォークを挿入するためのフォーク挿入孔２４が設けられている。また、載置部１３の外周縁には、長四角板状に形成された複数の係止板２７が所定間隔をおいて立設されている。
【００１１】
スリーブ１４は、段ボールにより構成されている。このスリーブ１４は、長四角板状に形成された１枚の段ボール板を所定位置で接合及び折曲げることによって、図１及び図４に示されるように対向する各一対の側壁３１を備えた四角筒状に組立てられるとともに、図５に示されるように平板状に小さくコンパクトに折り畳むことができるように構成されている。
【００１２】
図１に示すように、上蓋１５は、射出成形法又はプレス成形法により一体成形されている。この上蓋１５は、四角板状に形成された天板４１と、その天板４１の周縁から垂下された各一対の側板４２とから有蓋四角筒状に形成されている。さらに、各側板４２は、下方ほど僅かに上蓋１５の外方側に突出するように、即ち下方ほど僅かに拡がるテーパ形状に形成されている。
【００１３】
天板４１の上面周縁部には、係止突部としてのコーナ部突部４４及び側縁部突部４５が突設されている。コーナ部突部４４は天板４１の各コーナ部上面に平面Ｌ字状となるように形成されており、側縁部突部４５は天板４１の各側縁中央に平面長四角形状となるように形成されている。
【００１４】
これらコーナ部突部４４と側縁部突部４５との間に位置する天板４１の上面周縁部には、ガイド部５１が設けられている。図２及び図３に示すように、各ガイド部５１は、天板４１と側板４２との境界部を上蓋１５の外周縁に沿って平面長四角形状に凹設することにより形成された周縁凹部５２と、その周縁凹部５２の外面（上面及び外側面）から突設された周縁リブとしての複数のガイドリブ５３とから構成されている。
【００１５】
前記ガイドリブ５３は、上下方向に延びるとともに上蓋１５の側縁又は端縁と平行に延びる平板状に形成されている。さらに、これら各ガイドリブ５３は、その外端縁５３ａが上方ほど上蓋１５の内方側へと傾斜するテーパ形状に形成されるとともに、その上端縁５３ｂが天板４１の上面に沿って面一に延びるように形成された台形板状をなしている。また、各ガイド部５１において、隣接するガイドリブ５３間の間隔は、フォークの横幅未満である必要があり、フォークの横幅の半分以下であるのが好ましい。
【００１６】
一方、前記コーナ部突部４４、側縁部突部４５及びガイド部５１の内側に位置する天板４１の上面中央部は、パレット１２の桁２２，２３を載置するための桁載置部５６となっている。図２及び図３に示すように、天板４１の下面には、縦横に格子状に延びる多数の補強リブ６１が垂下されており、天板４１の強度を高めている。また、この天板４１の周縁部下面には、前記周縁凹部５２を設けることによって底面長四角形状に形成された平坦面６２が突出されている。これら平坦面６２は、水平面に沿って延びる凹凸のない平坦な面によって構成されている。さらに、これら平坦面６２は、補強リブ６１の下端縁と同じ高さとなるように構成されているうえ、同平坦面６２の外側部は側板４２の内側面と接合されている。
【００１７】
上記パレットボックス１１の作用について以下に記載する。
このパレットボックス１１は、図１に示すように、パレット１２周縁部の係止板２７の内側面に四角筒状に組立てられたスリーブ１４の下端部外側面を当接させた後、そのスリーブ１４の上端部（上部開口部）に上蓋１５を被せることによって組立てられる。このとき、各側壁３１の上端縁は、天板４１下面に垂下された補強リブ６１の端部下端縁に当接されるとともに平坦面６２と当接され、さらに同側壁３１の上端部外側面は、側板４２の内側面に密着しながら係合されている。
【００１８】
さて、この組立て状態のパレットボックス１１は、必要に応じて図４に示すように固定バンド７２により固定した後、パレット１２下端部に開口されたフォーク挿入孔２４内にフォークリフト又はハンドリフトのフォークを挿入して運搬される。このとき、パレット１２の載置部１３上に載置されている載置物がずれたり荷崩れしたりした場合でも、載置物の周囲を取り囲むスリーブ１４に支えられて、載置物が載置部１３上から落下したりするおそれはない。
【００１９】
このパレットボックス１１は、図４に示すように、組立て状態のパレットボックス１１の上端部（上蓋１５の上面）に、別のパレットボックス１１を載置して上下に積み重ねられるようになっている。このとき、下方に位置するパレットボックス１１の天板４１の桁載置部５６上には、上方に位置するパレットボックス１１のパレット１２の桁２２，２３の下端面（底面）が載置されている。さらに、前記上方に位置するパレットボックス１１の各隅部桁２２の外側部下端は、下方に位置するパレットボックス１１のコーナ部突部４４及び側縁部突部４５の内側面と係合されている。加えて、前記上方に位置するパレットボックス１１の中央桁２３の前後端部は、下方に位置するパレットボックス１１の側縁部突部４５の内側面と係合されている。その結果、これら上下のパレットボックス１１同士は、容易に位置ずれしたりしない。
【００２０】
また、この積み重ね状態のパレットボックス１１においては、下方に位置するパレットボックス１１のスリーブ１４上端部と、上方に位置するパレットボックス１１のパレット１２の下端部とが極めて近接した位置に配置されている。即ち、前記スリーブ１４の上端部とパレット１２の下端部との間には、天板４１の厚みと補強リブ６１の突設高さとの和に相当する間隔が存在するのみである。このため、複数のパレットボックス１１を上下に積み重ねたときの全体の高さは容易に低減されている。
【００２１】
この上下に積み重ねられたパレットボックス１１のうち、上方に位置するパレットボックス１１を移動（例えば床面上に積み降ろす）させる場合には、まず、上下のパレットボックス１１の境界部に位置する左右一対のフォーク挿入孔２４の前方にフォークリフトのフォークを位置合わせする。続いて、フォークリフトを前進させながら前記フォーク挿入孔２４内にフォークを挿入した後、そのフォークを上動させて上方に位置するパレットボックス１１を持ち上げながら所定位置に移動させる。
【００２２】
なお、前記フォーク挿入孔２４内にフォークを挿入する際には、フォークリフトの微妙な操作ミス等により、フォークの先端がフォーク挿入孔２４から僅かに反れてしまうケースがある。このとき、反れてしまったフォークの先端が下方に位置する上蓋１５のガイド部５１の上端部に突き当てられた場合、フォークの先端はガイドリブ５３の外端縁５３ａ及び上端縁５３ｂ上を滑らかに摺動しながらフォーク挿入孔２４内へとガイドされ得る。
【００２３】
また、前記フォークの先端が下方に位置する上蓋１５のガイド部５１の中央部又は下端部に突き当てられた場合、そのフォークの先端はガイドリブ５３の外端縁５３ａを一部変形又は破損させる可能性はある。しかしながら、これらガイドリブ５３は、フォークの挿入方向に沿って延びるように設けられていることから、その方向からのフォーク先端の突き当てに対しては著しく高い強度を発揮し、上蓋１５が使用不能になるほど破損又は変形するおそれは極めて少ない。
【００２４】
一方、このパレットボックス１１は、上蓋１５、スリーブ１４及びパレット１２を分離した後、スリーブ１４を図５に示されるように平板状に折り畳み、その折り畳まれたスリーブ１４をパレット１２の載置部１３上に載置し、さらに上蓋１５を同載置部１３上に被せることによって小さくコンパクトに収納される。図５に示すように、この小さくコンパクトに折り畳まれたパレットボックス１１の上端部（上蓋１５の上面）には、別のパレットボックス１１を載置して積み重ねることもできる。
【００２５】
上記実施形態によって発揮される効果について、以下に記載する。
・　実施形態のパレットボックス１１は、隣接する桁２２，２３間にフォーク挿入孔２４が形成された略四角板状のパレット１２と、そのパレット１２の周縁に沿って立設される対向する各一対の側壁３１と、それら側壁３１の上端部を閉鎖する有蓋四角筒状の上蓋１５とからなる略四角箱状に形成されている。なお、前記パレット１２は、例え上下逆に配置したとしても上蓋１５とは全く形状が異なるものである。さらに、前記上蓋１５の上面には、前記パレット１２の桁２２，２３を載置するための桁載置部５６が設けられており、複数のパレットボックス１１を上下に積み重ねて載置することができるように構成されている。加えて、フォーク挿入孔２４の真上に位置する上蓋１５の上面周縁部には周縁凹部５２が凹設されているうえ、その周縁凹部５２の上面には前記フォーク挿入孔２４のフォーク挿入方向に沿って延びる複数のガイドリブ５３が立設されている。そのうえ、これら各ガイドリブ５３の外端縁５３ａは、上方ほど上蓋１５の内方側へと傾斜するテーパ形状に形成されている。
【００２６】
即ち、このパレットボックス１１は、上蓋１５の上面に桁載置部５６が設けられていることから、組立て状態の複数のパレットボックス１１を上下に複数段積み重ねることができ、載置物を少ないスペースで収納及び保管することが容易である。また、図５に示されるように、小さくコンパクトに折り畳まれたパレットボックス１１を上下に複数段積み重ねることもできることから、不使用状態のパレットボックス１１を少ないスペースで収納することが容易である。
【００２７】
さらに、このパレットボックス１１は、複数のパレットボックス１１を上下に積み重ねたとき、下方に位置するパレットボックス１１（上蓋１５）のガイドリブ５３が、上方に位置するパレットボックス１１（パレット１２）のフォーク挿入孔２４の開口端部（フォーク挿入口）に位置するように配設されている。このため、この上下のパレットボックス１１の境界部に位置するフォーク挿入孔２４内にフォークリフトのフォークを挿入する際には、ガイドリブ５３の外端縁５３ａ及び上端縁５３ｂによるフォーク先端の挿入ガイド機能を発揮させることができることから、フォークの挿入を容易かつ円滑に行うことができる。さらに、前記ガイドリブ５３は、フォークの挿入方向に沿って延設されていることから、フォーク先端の突き当てに対する高い補強効果を発揮することができ、上蓋１５の変形及び破損を極めて効果的に防止することができる。加えて、前記挿入ガイド機能及び変形・破損防止効果は、フォークの先端に対してばかりでなく、先端側ほど僅かに上方に位置するように傾斜しているフォークの中央部又は基端部下面がガイドリブ５３に接触する場合にも全く同様に発揮され得る。
【００２８】
・　このパレットボックス１１の上蓋１５においては、天板４１と側板４２との境界部に周縁凹部５２を設けることによって、天板４１と側板４２との境界部が断面横Ｌ字状（階段状）に形成されている。この形状により、側板４２に対する天板４１の補強が著しく効果的に行われることから、重量の大きなパレットボックス１１を上下に多段積みすることが容易となる。さらに、前記周縁凹部５２の上面及び外側面にガイドリブ５３の下端縁及び内端縁を接合させることによって、側板４２に対する天板４１の補強をより一層強化することができる。
【００２９】
・　周縁凹部５２の下面を平坦面６２により構成するとともに、その平坦面６２に側壁３１の上端縁が当接するように構成されていることから、側壁３１（スリーブ１４）の上端縁を広い面積で上蓋１５の下面と当接させることが容易である。このため、上方から加わる荷重を容易に分散しつつ受け止めることができるようになり、側壁３１の上部開口部に対し上蓋１５を極めて安定状態で載置（係合）させることができる。特に、重量の大きなパレットボックス１１を上方に載置して多段積みする際には、その荷重を分散して受け止めることにより、側壁３１と上蓋１５との当接部における変形や破損、特にスリーブ１４上端の変形を容易かつ効果的に抑えることができる。
【００３０】
・　天板４１の上面を桁載置部５６とすることによって、複数のパレットボックス１１を上下に積み重ねたときの全体の高さを容易に低減させることができる。即ち、この積み重ね状態のパレットボックス１１においては、下方に位置するパレットボックス１１のスリーブ１４（側壁３１）上端部と、上方に位置するパレットボックス１１のパレット１２の下端部との間には、天板４１の厚みと補強リブ６１の突設高さとの和に相当する間隔が存在するのみである。
【００３１】
これに対し、例えばパレットを上下逆に配置することによって上蓋としての機能をもたせたコンテナが知られているが、この場合にはパレットの桁の底部同士を対向配置させて係合させることにより、複数のコンテナが上下に安定状態で積み重ねられるようになっている。しかしながら、このコンテナを上下に積み重ねたときの全体の高さは、本実施形態のパレットボックス１１の場合と比較して、コンテナを積み重ねる度毎に桁の高さ相当分高くなってしまっていた。
【００３２】
・　桁載置部５６の周縁部に上方に位置するパレットボックス１１のパレット１２の桁２２，２３の側部を係止するコーナ部突部４４及び側縁部突部４５を設けることによって、複数のパレットボックス１１を上下に安定状態で積み重ねることができる。特に、これらコーナ部突部４４及び側縁部突部４５を上蓋１５の周縁に沿うように設けることによって、上方に位置するパレットボックス１１のずれ落ちや落下を効果的に防止することができる。
【００３３】
なお、上記実施形態は、次のように変更して具体化することも可能である。
・　スリーブ１４を繰返し洗浄可能な合成樹脂板、例えば比較的硬質の発泡ポリプロピレンシート、又は発泡させないポリプロピレンシート（ソリッド状のシート）によって構成してもよい。
【００３４】
・　パレット１２及びスリーブ１４（側壁３１）の代わりに、例えばパレットの周縁に回動可能に立設される各一対の側壁を備えた折り畳み式パレットボックスを用いてもよい。
【００３５】
・　パレット１２、スリーブ１４及び上蓋１５を平面長四角形状に形成してもよい。
・　パレット１２を片面使用４方差しのスキッドタイプ又はヨーロピアンタイプのものに変更してもよい。
【００３６】
・　側縁部突部４５を省略してもよい。なおこのとき、側縁部突部４５が設けられていた位置に、周縁凹部５２及びガイドリブ５３からなるガイド部５１を設けても構わない。
【００３７】
・　ガイド部５１を天板４１の中央部まで延設してもよい。例えば、上記実施形態の各ガイド部５１を天板４１の内側へと拡張することにより、図１に２点鎖線で示されるように平面ほぼ正方形状に形成されたガイド部５１ａを形成させること。なお、前記ガイド部５１ａは、平面ほぼ正方形状に形成された周縁凹部５２と、その周縁凹部５２の上面に立設された複数のガイドリブ５３によって構成されている。このように構成した場合、フォーク挿入孔２４内へのフォーク先端の挿入ガイド機能をより一層高めることが可能である。
【００３８】
・　天板４１の対向する両端部に設けられている一対のガイド部５１同士を連結することにより、図１に２点差線で示されるように、天板４１の対向する両端部間を繋ぐように平面長方形状に形成されたガイド部５１ｂを設けてもよい。なお、前記ガイド部５１ｂは、天板４１の対向する両端部間を繋ぐ平面長方形状に形成された周縁凹部５２と、天板４１の対向する両端部間を繋ぐ複数のガイドリブ５３によって構成されている。
【００３９】
・　ガイドリブ５３を台形板状に形成する代わりに、周縁凹部５２の上面外端部と、同周縁凹部５２の内端部上端との間を繋ぐ三角板状に形成してもよい。なおこのとき、ガイドリブ５３の外端縁５３ａは、周縁凹部５２の上面外端部と、同周縁凹部５２の内端部上端との間を繋ぐように形成され、上端縁５３ｂは存在しない。また、前記ガイドリブ５３の外端縁５３ａの中央部は、上方に僅かに膨出する側面弧状（側面扇状）、又は下方に僅かに凹む側面弧状に形成されていてもよい。
【００４０】
・　ガイドリブ５３の外端縁５３ａと上端縁５３ｂとの境界部を面取りすること。即ち、前記境界部を丸みを帯びた形状（形状）に形成することによって、フォークの先端がガイドリブ５３の外端縁５３ａから上端縁５３ｂへと滑らかに摺動しながらフォーク挿入孔２４内へとガイドされるように構成すること。このように構成した場合、フォーク先端の挿入ガイド機能を極めて効果的に発揮させることができる。
【００４１】
・　ガイドリブ５３は、上方に位置するパレット１２のフォーク挿入孔２４のフォーク挿入方向に沿って延設されていればよい。例えば、図５に２点差線で示されるように、平板状に形成されたガイドリブ８１の上下端縁は、前記フォーク挿入方向と平行に延びるように形成されていればよく、その上端縁と下端縁とが上下に一致した位置に設けられていなくてもよい。
【００４２】
・　周縁凹部５２の上面を外側方（外端部側）ほど僅かに低くなるように傾斜する傾斜面によって構成してもよい。なおこのとき、周縁凹部５２の下面は、水平面に対して僅かに傾斜しているが、凹凸のない平坦な面によって構成されているのが好ましい。このように構成した場合、パレットボックス１１を屋外に配置したとき、雨水等が周縁凹部５２の上面に溜まるのを効果的に抑えることができる。
【００４３】
さらに、前記実施形態より把握できる技術的思想について以下に記載する。
・　前記上蓋を、四角板状に形成された天板と、その天板の周縁に沿って垂下された側板とより有蓋四角筒状に形成し、前記天板の上面にパレットを載置するように構成するとともに、同天板の下面に前記側壁の上端縁が当接されるように構成したことを特徴とする請求項１から請求項３のいずれかに記載のパレットボックス。このように構成した場合、下方に位置する側壁の上端部と、上方に位置するパレットの下端部とを容易に近接させて積み重ねることができることから、パレットボックスを上下に多段積みしたとき、その全体の高さを容易に低くすることができる。
【００４４】
・　前記パレットは側面及び底面にフォーク挿入孔が開口されたものであることを特徴とする請求項１から請求項３のいずれかに記載のパレットボックス。
・　前記パレットは、四角板状に形成された上面デッキと、その上面デッキの下面から垂下された桁とから略四角板状に形成されたものであることを特徴とする請求項１から請求項３のいずれかに記載のパレットボックス。
【００４５】
・　前記周縁リブを前記パレットのフォーク挿入孔の開口端部の真上に位置するように構成したことを特徴とする請求項１から請求項３のいずれかに記載のパレットボックス。
【００４６】
・　前記周縁リブの外端縁又は上端縁をパレットのフォーク挿入方向と平行に延びるように構成したことを特徴とする請求項１から請求項３のいずれかに記載のパレットボックス。
【００４７】
・　前記平坦面は水平面に沿って延設されていることを特徴とする請求項２又は請求項３に記載のパレットボックス。
【００４８】
【発明の効果】
以上詳述したように、この発明によれば、次のような効果を奏する。
請求項１から請求項３に記載の発明のパレットボックスによれば、上下に複数段積み重ねることができるとともに、フォーク先端の上蓋への突き当てに対する高い補強効果を発揮することができる。
【図面の簡単な説明】
【図１】実施形態のパレットボックスを示す分解斜視図。
【図２】（ａ）は実施形態のパレットボックスを構成する上蓋の一部を示す底面図、（ｂ）は同じく平面図。
【図３】（ａ）、（ｂ）、（ｃ）及び（ｄ）はぞれぞれ、図２（ａ）の３ａ−３ａ線、３ｂ−３ｂ線、３ｃ−３ｃ線及び３ｄ−３ｄ線から見た上蓋を示す断面図、（ｅ）は図３（ｃ）の上蓋の左端部を拡大した断面図。
【図４】組立て状態のパレットボックスを積み重ねた様子を示す図。
【図５】折り畳み状態のパレットボックスを積み重ねた様子を示す図。
【符号の説明】
１１…パレットボックス、１２…パレット、１３…載置部、１５…上蓋、２４…フォーク挿入孔、３１…側壁、４４…係止突部としてのコーナ部突部、４５…係止突部としての側縁部突部、５２…周縁凹部、５３…周縁リブとしてのガイドリブ、５３ａ…周縁リブの外端縁としてのガイドリブの外端縁、６２…平坦面、８１…周縁リブとしてのガイドリブ。
【図１】
2004010129.tif 000003
【図２】
2004010129.tif 000004
【図３】
2004010129.tif 000005
【図４】
2004010129.tif 000006
【図５】
2004010129.tif 000007